(57)【特許請求の範囲】
【請求項１】
化粧皿を収納する環状筒を立設した容器本体と、前記容器本体の後端部に蝶着された蓋体とを有し、前記蓋体の前記環状筒に対応する裏面には、前記裏面に沿って全方位へ移動可能に中蓋が取り付けられ、前記蓋体を閉めると軸のずれている前記中蓋と前記環状筒とが軸を合わせて嵌脱自在に係合して前記蓋体と前記容器本体との閉塞状態が保持されることを特徴とするコンパクト容器。
【請求項２】
化粧皿を収納する環状筒を立設した中枠と、前記中枠を底壁に沿って全方位へ移動可能に収納した容器本体と、前記容器本体の後端部に蝶着された蓋体とを有し、前記蓋体の前記環状筒に対応する裏面には、前記裏面に沿って全方位へ移動可能に中蓋が取り付けられ、前記蓋体を閉めると軸のずれている前記中蓋と前記環状筒とが軸を合わせて嵌脱自在に係合して前記蓋体と前記容器本体との閉塞状態が保持されることを特徴とするコンパクト容器。
【請求項３】
前記中蓋の周壁の前方に指掛け部が一体に設けられていることを特徴とする請求項１又は請求項２記載のコンパクト容器。
【発明の詳細な説明】
【０００１】
【発明の属する技術分野】
本発明は、揮発性化粧料や半流動性の化粧料を収納するのに好適なコンパクト容器に係わり、詳しくは化粧料収納部を閉塞する中蓋を付設した気密性にすぐれたコンパクト容器に関する。
【０００２】
【従来の技術】
気密性を必要とする化粧料収納部を中蓋で閉塞したコンパクト容器として、例えば、実開平４ー３１６号公報に開示されたコンパクト容器がある。
【０００３】
この従来のコンパクト容器は、図１２に示すように、上面に開口する収納室５１を有する容器本体５２と、この容器本体５１の上面を覆い互いの後端部で蝶着された蓋体５３とを具備してなり、蓋体５３の裏面には収納室５１を覆う中蓋５４が取り付けられ、この中蓋５４は外部からの操作により蓋体５３の裏面に沿って回動可能とされ、当該中蓋５４の周壁５５と収納室５１の周壁５６とが互いに螺子嵌合する構成となっている。
【０００４】
そして、閉蓋して、中蓋５４で収納室５１を密閉することにより、収納室５１内の気密性を保持するとともに、蓋体５３と容器本体５２とを互いに係合させることができる。従って、蓋体５３と容器本体５２との係合手段を別途に設ける必要がないというものである。
【０００５】
【発明が解決しようとする課題】
ところで、上記従来のコンパクト容器においては、中蓋５４は螺子蓋式であるので気密性は良いものの、容器本体５２と蓋体５３との係合およびその解除には中蓋５４を摘んで螺子を回す構成であるので、開閉操作性がよいとはいえなかった。また、中蓋５４は蓋体５３に回動可能に取り付けられているが、取り付け位置は不動に固定されている。従って、蓋体５３を閉めるとき、中蓋５４は、収納室５１の真上からではなく、蝶番５９を介して回動する蓋体５３の軌道に従い、傾いた姿勢のまま収納室５１を覆うように施蓋体勢に入る。そして、中蓋５４の蝶番寄りの周壁下端部５８が収納室５１の蝶番寄りの周壁５６に強くせり当たり、中蓋５４と収納室５１との軸を合致するように無理嵌め状態で螺合するものである。従って、中蓋５４と収納室５１とに僅かな位置づれがあっても円滑に操作することが難しく、高い精度の成形や組立が必要であった。
【０００６】
本発明は、上記の問題に鑑みてなされたもので、気密性を必要とする化粧料を中蓋で密封するとともに、中蓋の開閉が円滑にできる使い勝手のよいコンパクト容器にすることを課題としている。
【０００７】
【課題を解決するための手段】
そこで、本発明のコンパクト容器では、化粧皿を収納する環状筒を立設した容器本体と、前記容器本体の後端部に蝶着された蓋体とを有し、前記蓋体の前記環状筒に対応する裏面には、前記裏面に沿って全方位へ移動可能に中蓋が取り付けられ、前記蓋体を閉めると軸のずれている前記中蓋と前記環状筒とが軸を合わせて嵌脱自在に係合して前記蓋体と前記容器本体との閉塞状態が保持される構成としたことで、中蓋と環状筒との嵌脱が円滑となり、前記課題の解決手段とした。
【０００８】
また、化粧皿を収納する環状筒を立設した中枠を底壁に沿って全方位へ移動可能に容器本体内に収納した構成とすることにより、中蓋と環状筒との嵌合を更に円滑にすることができる。
【０００９】
また、中蓋の周壁の前方に指掛け部を一体に設けたことにより開蓋操作が容易となる。
【００１０】
【発明の実施の形態】
以下、本発明の好適な実施の形態を添付図面を参照しながら詳細に説明する。
【００１１】
図１乃至図５は第一の実施の形態を示すもので、本形態のコンパクト容器は、中枠２が収納され一体に固着されてなる容器本体１と、該容器本体１の上面を覆い、その後端部に蝶着された蓋体１０と、該蓋体１０の天板１１裏面に移動可能に装着された中蓋２０とを有して構成されている。
【００１２】
図に示すように、容器本体１は、扁平な有底の箱体からなり、その後壁１ａのほぼ中央部には容器本体側蝶番部を形成する凹所３が設けられ、その前壁１ｂには指が通る凹所８が設けられている。また、容器本体１の内側には、化粧用具（図示せず）を納置する収納凹所４と化粧皿５を収納する環状筒６とを画成する中枠２が嵌込まれ、一体に固着形成されている。
【００１３】
中枠２の環状筒６の外周面には、中蓋２０の内周壁に設けられた係合突条２１と係合する係合機構７が所定間隔を置いて係合突条２１と対応する複数箇所に設けられている。尚、前記係合機構７は、中蓋２０の係合突条２１が係合できる形状であればよく、図示する突条に限らず、長孔や凹溝（図示省略）でもよいことは言うまでもない。
【００１４】
一方、蓋体１０は、天板１１の周縁から垂設された周壁１３に囲まれた浅い皿状に形成されており、その後壁には蓋体側蝶番部を形成する蝶番脚１４が垂設され、容器本体１の凹所３に嵌合して蝶番ｈを構成している。そして、容器本体１の収納凹所４に対応する蓋体１０の天板１１裏面には、化粧用鏡１５が貼着されているとともに、容器本体１の環状筒６に対応する蓋体１０の天板１１裏面には、中蓋２０が嵌着する長方形の係合枠１２が突出形成されており、この係合枠１２の長手方向の両縁部には、天板１１に沿って突条１６、１６が突設されて天板１１との間に係合溝１７、１７が形成されている。
【００１５】
中蓋２０は、円形の天板２４の周縁から一体に垂設された周壁２２に囲まれた浅い嵌蓋であり、この周壁２２の外周面前方には指掛け部２３が一体に突設されている。また、周壁２２の内周面の開口部近傍には、環状筒６の係合機構７と係合する係合突条２１が突設され、この係合突条２１の上部には、天板２４に重ねて中蓋２０に嵌込まれたパッキン２６を支持する支持片２７が並設されている。
【００１６】
また、中蓋２０の天板２４には、長手方向に沿って図１に示す段部２８ａを有する長方形の貫通孔２８が貫設されており、図３および図４に示すように、この貫通孔２８の大きさは、係合枠１２の基端部１２ａの周囲の大きさよりも僅かに大きく設定されている。そして、中蓋２０の貫通孔２８と係合枠１２の係合溝１７とが遊嵌されて、貫通孔２８の段部２８ａと係合枠１２の突条１６とが係合することにより中蓋２０は蓋体１０の裏面に保持されるとともに、貫通孔２８と係合枠１２との間に形成された間隙部２５が遊びとなって、中蓋２０は蓋体１０の裏面に沿って全ての方位へ僅かに移動可能に取り付けられている。
【００１７】
以上のように構成された本実施の形態のコンパクト容器の蓋体１０を閉めると、図５に示すように、蓋体１０の裏面に取り付けられた中蓋２０は、蓋体１０の蝶番回動に伴って傾いた姿勢のまま環状筒６を覆うように着蓋体勢に入り、図５に於いて二点鎖線で示すように、まず中蓋２０の周壁２２の後方下端部２２ａが環状筒６の外周に当接する。
【００１８】
このとき、中蓋２０と環状筒６との軸はずれているが、中蓋２０は蓋体１０の裏面に沿って僅かに移動しながら環状筒６を覆い、軸を合わせて馴染むように外嵌し、中蓋２０と環状筒６との嵌合が無理なく円滑に行われる。従って、本実施の形態にあっては、中蓋２０と環状筒６との全方位の位置ずれを吸収可能としたことにより、部品の成形や組立の精度が緩和される。
【００１９】
また、環状筒６の係合機構７と中蓋２０の係合突条２１とが係合すると、中蓋２０と環状筒６との軸が一致し、蓋体１０に対する中蓋２０の相対的位置も自動的に固定される。そして、環状筒６に収納された化粧皿５は中蓋２０のパッキン２６によって気密に閉塞されるとともに、容器本体１と蓋体１０とは閉状態に保持される。
【００２０】
また、本実施の形態のコンパクト容器を開蓋するときは、中蓋２０の指掛け部２３の下端２３ａに手指を掛けて押し上げる。すると、中蓋２０は蓋体１０の裏面に沿って開きやすい位置に相対的に移動する。従って、蓋体１０の開放が円滑になる。
【００２１】
既述したように、本実施の形態にあつては、中蓋２０を蓋体１０の裏面に沿って全方位に移動可能に設けた構成としたことにより、蓋体１０の開閉操作が円滑になるばかりでなく、中蓋２０と環状筒６との全方位の位置ずれを吸収できる構成としたことにより、部品の成形や組立の精度を緩和することもできるものである。
【００２２】
上記本発明の実施の形態においては、通常の平板状のコンパクト容器として説明したが、本発明のコンパクト容器は、図６に示すように、二段重ねの形式にすることもできる。
【００２３】
この第二の実施の形態のコンパクト容器は、化粧皿５が収納された環状筒６を立設した容器本体１と、中蓋２０が移動可能に取り付けられ前記容器本体１を覆う蓋体１０と、前記容器本体１の下面に位置するパフ収納ケース９とを有し、これらの各後端部が枢着されて構成されている。そして、中蓋２０の係合突条２１と容器本体１の係合機構７とが係合するとともに、中蓋２０の前方に設けられた指掛け部２３の内側に突設されたフック２３ｂとパフ収納ケース９の周壁前端に設けられたフック９ａとが係合してこの実施の形態のコンパクト容器は閉状態が保持されている。
【００２４】
以上のように、二段に重なった容器本体１とパフ収納ケース９のそれぞれの係合機構７、９ａと中蓋２０に設けられた係合機構２１、２３ｂとが係合する構成とされているが、第一の実施の形態と同様に、中蓋２０は蓋体１０の裏面に沿って全方位へ移動可能に設けられており、蓋体１０の開閉時においては、中蓋２０は最も開閉し易い位置に馴染み動くので、無理な力を使うことなく開閉操作ができるようになっている。
【００２５】
図７乃至図９は、本発明のコンパクト容器の第三の実施の形態を示すもので、以下、図において、既述した実施の形態と共通する部分については同一符合を付してその説明を省略する。
【００２６】
この実施の形態に於いては、中枠２は容器本体１に固定されておらず、中枠２は容器本体１の底壁１ｃに沿って全方位へ移動可能に収納されている。即ち、図８に示すように、容器本体１の底壁１ｃから環状筒６の下部近傍に立設された複数のフック１ｄと、環状筒６の下端から外向きに突設された係合片２ａとが、クリアランスＣを設けて係合して中枠２は容器本体１から抜け止めされているとともに、図８、図９に示すように、中枠２の外周面と容器本体１の内周壁との間にもクリアランスＣが設けられている。
【００２７】
また、この実施の形態に於ける蓋体１０の裏面には、既述した実施の形態と同様に、中蓋２０が全方位へ移動可能に取り付けられ、この中蓋２０の周壁２２から突設された指掛け部２３が蓋体１０の周壁１３正面下部に露出している。そして、この指掛け部２３の上方にあって蓋体１０の上面側縁部から周壁１３にかけて切り欠かれて形成された蓋体１０の表裏に貫通する凹所１８が設けられており、この凹所１８には中枠２の上面に当接する脚板１９ａを備えた押し釦１９が上下動自在に装着されている。
【００２８】
上記のように構成された本実施の形態にあっては、既述した実施の形態と同様に、中蓋２０は蓋体１０の裏面に移動可能に設けられているので、蓋体１０の開閉時において、中蓋２０は最も開閉し易い位置に馴染み動くうえに、環状筒６を立設した中枠２も容器本体１の底壁１ｃに沿って中蓋２０の動きに同調して移動するので、更に中蓋２０と環状筒６との軸が一致し易く、嵌脱が容易となっている。
【００２９】
また、蓋体１０を開放するときは、指掛け部２３の下端部２３ａと押し釦１９の上面とを指で挟みつけることにより、押し釦１９の脚板１９ａによって中枠２の上面を突いて中蓋２０の係合突条２１と容器本体１の係合機構７との係合を解除し、指掛け部２３を押し上げる一連の操作で開蓋させるものである。この押し釦１９に加えた押圧力は開蓋力として直接中蓋２０に作用するとともに、中蓋２０と中枠２は相互に同調して蓋体１０の開き易い位置に移動するで、コンパクト容器は円滑に開蓋し、且つ開蓋操作性が極めて向上する。
【００３０】
尚、本発明のコンパクト容器にあっては、図１０に示すように、押し釦１９と蝶番ｈとを環状筒６を挟んだ位置に対向して設けてもよく、また、図１１に示すように、押し釦１９と蝶番ｈとを環状筒６を挟んだ長手方向の位置に対向して設け、縦長に開閉するデザインにすることも可能である。更に、コンパクト容器を開放する押し釦も上記のものに限定されるものではなく、如何なる形式のものを採用してもよい。また、中蓋２０を移動不能に蓋体１０に取り付け、中枠２のみを容器本体１に移動可能としても、中蓋２０と環状筒６との嵌脱が円滑化することは言うまでもない。
【００３１】
【発明の効果】
本発明のコンパクト容器によれば、以下の効果を奏することができる。
【００３２】
請求項１に記載のコンパクト容器によれば、中蓋を蓋体の裏面に沿って全方位に移動可能に取り付けて容器本体の環状筒に外嵌するようにしたので、施蓋時において、中蓋は環状筒に馴染むように移動しながら軸を合わせて外嵌する。従って、中蓋で化粧皿を円滑に密封できるとともに、中蓋と容器本体の係合機構でコンパクト容器を閉状態に保つことができる。また、コンパクト容器を開くときも、中蓋は開き易い位置に移動するので、容易且つ円滑に開蓋することができる。
【００３３】
また、部品の成形誤差や組立誤差を吸収できる構造であるので、成形精度や組立精度が緩和され、製造が容易となって製造コストを下げることができる。
【００３４】
また、請求項２に記載のコンパクト容器では、上記の効果に加えて、    化粧皿を収納する環状筒を立設した中枠を底壁に沿って移動可能に容器本体内に収納した構成としたので、蓋体を閉じるとき、中枠も中蓋の動きに同調して容器本体の底壁に沿って移動する。従って、中蓋と環状筒との軸が更に一致し易く、嵌脱が容易となっている。
【００３５】
更に、請求項３に記載のコンパクト容器では、中蓋の周壁の前方に指掛け部を一体に設けたことにより開蓋する指の力が直接中蓋に作用するので、通常のコンパクト容器と同様に容易に開蓋操作をすることができる。
【図面の簡単な説明】
【図１】本発明のコンパクト容器の第一の実施の形態を示す分解斜視図。
【図２】図１の実施の形態の閉蓋状態を示す斜視図。
【図３】図２のＡーＡ矢視拡大断面図。
【図４】図２のＢーＢ矢視拡大断面図。
【図５】図１の実施の形態の作動状態を示す説明図。
【図６】本発明のコンパクト容器の第二の実施の形態を示す断面図。
【図７】本発明のコンパクト容器の第三の実施の形態を示す、（ａ）は閉状態の斜視図、（ｂ）は開蓋状態の斜視図。
【図８】図７のＣーＣ矢視拡大断面図。
【図９】図７のＤーＤ矢視拡大断面図。
【図１０】本発明のコンパクト容器の蝶番の位置を変えた実施の形態を示す平面図。
【図１１】本発明のコンパクト容器の縦長に開閉する実施の形態を示す平面図。
【図１２】従来のコンパクト容器を示す断面図。
【符号の説明】
１  容器本体，１ｃ  底壁，２  中枠，５  化粧皿，６  環状筒，１０  蓋体，２０  中蓋，２２  周壁，２３  指掛け部
【図１】
0003701086.tif 000002
【図２】
0003701086.tif 000003
【図３】
0003701086.tif 000004
【図４】
0003701086.tif 000005
【図５】
0003701086.tif 000006
【図６】
0003701086.tif 000007
【図７】
0003701086.tif 000008
【図８】
0003701086.tif 000009
【図９】
0003701086.tif 000010
【図１０】
0003701086.tif 000011
【図１１】
0003701086.tif 000012
【図１２】
0003701086.tif 000013